(57)【特許請求の範囲】
【請求項１】
ロール媒体の軸を支持して、前記ロール媒体を保持し、供給装置本体からの引出し方向を上流、収納方向を下流として、前記上流側に引き出し可能な保持部と、
前記保持部に保持されて前記供給装置本体に収納された前記ロール媒体に対して、下方から上方に向けて押圧されて前記ロール媒体に当接し、前記ロール媒体の外径の変化に応じて前記下流側にある第１回動軸を支点に回動して変位するガイド部材と、を有し、
前記ガイド部材は、アーム部と、揺動部とを含んで構成され、
前記アーム部は、その一端が前記第１回動軸の前記下流側に位置し、
前記揺動部は、前記アーム部の他端側に設けられ、
前記揺動部は、
前記保持部の収納過程において、前記ロール媒体に接触する第１ローラーと、
収納された前記保持部における前記ロール媒体に接触する少なくとも１つの第２ローラーと、を有し、
前記ガイド部材は、引き出された前記保持部が前記供給装置本体に収納される際に、前記ガイド部材の前記揺動部の第１ローラーが前記ロール媒体の外周に当接して、下方から上方に押圧される力に抗して前記保持部の移動経路から下方に退避させられる、ロール媒体の供給装置。
【請求項２】
前記揺動部において、
前記第１ローラーは、前記第２ローラーよりも前記上流側に配置され、前記保持部の収納過程において、前記ロール媒体の前記軸の高さよりも、下方の位置で前記ロール媒体に接触する、請求項１に記載のロール媒体の供給装置。
【請求項３】
前記アーム部の前記他端側にある前記揺動部には、第２回動軸が設けられ、
前記揺動部は、前記第２回動軸を支点に回動可能に設けられる、
請求項２に記載のロール媒体の供給装置。
【請求項４】
前記第２ローラーは、２つ設けられ、
前記第２回動軸は、２つの前記第２ローラーの間に配置されており、
前記保持部の収納状態において、２つの前記第２ローラーは、前記ロール媒体の外周に接触する、
請求項３に記載のロール媒体の供給装置。
【請求項５】
前記揺動部は、前記第２回動軸に対して、前記第１ローラーが配置された側を下方に押圧する付勢部を備える、
請求項４に記載のロール媒体の供給装置。
【請求項６】
前記第１ローラーは、前記ロール媒体に接触しない場合、前記第２ローラーより下方に配置される、
請求項１〜５のいずれか一項に記載のロール媒体の供給装置。
【請求項７】
前記ロール媒体の前記軸は、前記保持部が収納状態にあるときに駆動機構に連結されて駆動可能となる、
請求項１〜６のいずれか一項に記載のロール媒体の供給装置。
【請求項８】
前記保持部は、鉛直方向に複数配置され、少なくとも最上段より下方の前記保持部が引出し可能である、
請求項１〜７のいずれか一項に記載のロール媒体の供給装置。
【請求項９】
ロール媒体の軸を支持して、前記ロール媒体を保持し、供給装置本体からの引出し方向を上流、収納方向を下流として、前記上流側に引き出し可能な保持部と、
前記保持部に保持されて前記供給装置本体に収納された前記ロール媒体に対して、下方から上方に向けて押圧されて前記ロール媒体に当接し、前記ロール媒体の外径の変化に応じて前記下流側にある第１回動軸を支点に回動して変位するガイド部材と、
前記ロール媒体から引き出されたシートが通過する給紙経路と、を有する供給装置を備え、
前記ロール媒体から引き出された前記シートに記録を行う記録部を含み、
前記ガイド部材は、アーム部と、揺動部とを含んで構成され、
前記アーム部は、その一端が前記第１回動軸の前記下流側に位置し、
前記揺動部は、前記アーム部の他端側に設けられ、
前記揺動部は、
前記保持部の収納過程において、前記ロール媒体に接触する第１ローラーと、
収納された前記保持部における前記ロール媒体に接触する少なくとも１つの第２ローラーと、を有し、
前記ガイド部材は、引き出された前記保持部が前記供給装置本体に収納される際に、前記ガイド部材の前記揺動部の第１ローラーが前記ロール媒体の外周に当接して、下方から上方に押圧される力に抗して前記保持部の移動経路から下方に退避させられる、記録装置。
【発明の詳細な説明】
【技術分野】
【０００１】
本発明は、ロール媒体の供給装置、および当該供給装置を備えた記録装置に関する。
【背景技術】
【０００２】
従来、ロール紙などのロール媒体を備え、ロール媒体から供給される連続紙に印刷を行う記録装置が知られている。
例えば、特許文献１には、上下２段にロール紙を備えたプリント装置が開示されている。当該文献によれば、ロール紙は、プリント装置に設けられたシートの供給装置にセットされる。供給装置は、アーム部材とその先端に設けられた揺動部材とを備えており、ロール紙を斜め上方からアーム部材にセットするとしている。また、当該文献の図４に示すように、アーム部材の先端の揺動部材は、略水平方向に延在し、その先端は鋭利に描写されている。
【０００３】
特許文献１の記載からすると、供給装置へのロール紙のセットは、ユーザーが行っているものと推測されるが、大きくて重いロール紙を人手で持ち上げてセットするのは容易ではなく、効率化が求められていた。例えば、下段の供給装置を引出し式にすれば、ロール紙のセットの効率的が図れると考えられる。
【先行技術文献】
【特許文献】
【０００４】
【特許文献１】特開２０１６−１０４６６５号公報
【発明の概要】
【発明が解決しようとする課題】
【０００５】
しかしながら、特許文献１の供給装置に引出し式を適用した場合、ロール紙に傷が付いてしまう恐れがあった。詳しくは、引出し式ユニットに載せられたロール紙が、水平に移動して供給装置に収納される際に、アーム部材の先端の揺動部材がロール紙にぶつかってしまい、ロール紙を傷つける恐れがあった。
【課題を解決するための手段】
【０００６】
本願に係るロール媒体の供給装置は、ロール媒体の軸を支持して、前記ロール媒体を保持する保持部と、前記保持部に保持された前記ロール媒体に対して、下方から前記軸の方向に向けて押圧されて当接し、前記ロール媒体の外径の変化に応じて変位するガイド部材と、を有し、前記保持部は、供給装置本体から第１方向に引出し可能であり、前記ガイド部材は引き出された前記保持部が、前記供給装置本体に収納される際に、前記ロール媒体に当接して、下方から上方に押圧される力に抗して前記保持部の移動経路から下方に退避させられる。
【０００７】
本願に係る記録装置は、ロール媒体の軸を支持して、前記ロール媒体を保持する保持部と、前記保持部に保持された前記ロール媒体に対して、下方から前記軸の方向に向けて押圧されて当接し、前記ロール媒体の外径の変化に応じて変位するガイド部材と、前記ロール媒体から引き出されたシートが通過する給紙経路と、を有する供給装置を備え、前記ロール媒体から引き出された前記シートに記録を行う記録部を含み、前記保持部は、供給装置本体から第１方向に引出し可能であり、前記ガイド部材は引き出された前記保持部が前記供給装置本体に収納される際に、前記ロール媒体の外周に当接して、下方から上方に押圧される力に抗して前記保持部の移動経路から下方に退避させられる。
【図面の簡単な説明】
【０００８】
【図１】実施形態１に係る記録装置を正面上方から見た斜視図。
【図２】記録装置の側断面図。
【図３】図２における供給装置の拡大図及び下段保持部を引出した態様図。
【図４】ガイド部材の概要を示す側面図。
【図５】揺動部の拡大斜視図。
【図６】揺動部を下方から見た斜視図。
【図７】図４の揺動部近傍の拡大図。
【図８】下段保持部を引き抜き、前面から供給装置内部の給紙部近傍を見た斜視図。
【図９】ロール媒体を収納する際のガイド部材の動作態様図。
【図１０】実施形態２に係るロール媒体の頭出し第１動作を説明する側断面図。
【図１１】ロール媒体の頭出し第２動作を説明する側断面図。
【図１２】ロール媒体の頭出し第３動作を説明する側断面図。
【発明を実施するための形態】
【０００９】
実施形態１
＊＊＊記録装置の概要＊＊＊
図１は、記録装置を正面上方から見た斜視図である。
本願に係る記録装置２００は、芯部材にシートが巻き回されたロール媒体１を回転可能に保持するとともに、ロール媒体１から引き出されたシートの表面にインクを吐出することによって印刷する、インクジェット式の大判プリンターである。大判プリンターとは、例えば短辺幅がＡ０（８４１ｍｍ）などの大きいサイズのシートに印刷記録を行うことが可能なプリンターである。ロール媒体１は、円筒状の芯部材にシートが巻回されたロール紙であり、複数のサイズがある。また、シートとしては、紙、樹脂製のフィルム、布帛や、これらを組み合わせたシート部材を用いることができる。
【００１０】
図１に示すように、記録装置２００は、記録部１５０、供給装置１００などから構成されている。記録装置２００は、略直方体をなしており、供給装置１００と、記録部１５０とを重ねた構成となっている。供給装置１００は、給紙ユニットであり、ロール媒体１が２本セットされている。なお、ロール媒体１の回転軸である軸２の延在方向をＸ軸方向、ロール媒体１の積層方向をＹ軸方向とする。また、記録装置２００の奥行方向をＺ軸方向とする。記録装置２００のＸ軸方向の長さを幅、Ｘ軸の矢印の先端側を右側、Ｘ軸の矢印の基端側を左側ともいう。同様に、記録装置２００のＹ軸方向の長さを高さ、Ｙ軸の矢印の先端側を上側、Ｙ軸の矢印の基端側を下側ともいう。そして、記録装置２００と正対する位置にユーザーが立ち、供給装置１００にロール媒体をセットする側は、Ｚ軸の矢印の基端側であり、引出し方向という。反対側の収納方向はＺ軸の矢印の先端側である。なお、引出し方向を上流、収納方向を下流ともいう。他の図においても、同様である。
【００１１】
図１に示すように、記録部１５０は、支持台５０、ガイド部５５、キャリッジ６０、記録ヘッド６５などから構成される。
【００１２】
支持台５０は、記録部１５０内部の略中央に配置され、幅方向に延在する板状部材である。ガイド部５５は、支持台５０から斜め上方の後面に支持され、幅方向に延在する棒状あるいは板状の部材である。ガイド部５５は、キャリッジ６０を移動可能に支持している。キャリッジ６０は、不図示の駆動モーターや、駆動ベルトにより、ガイド部５５に沿って幅方向に往復移動可能に構成されている。キャリッジ６０には、記録ヘッド６５が搭載されている。記録ヘッド６５は、複数のインク吐出孔（図示せず）が支持台５０側に向けて設置されている。記録ヘッド６５は、支持台５０に支持されるシートに対してインクを吐出することにより記録を行う。
【００１３】
図２は、記録装置の側断面図である。
図２に示すように、記録部１５０は、さらに搬送部７０、排紙支持台８０、切断部９０などを含んで構成される。
搬送部７０は、中間ローラー７１、搬送ローラー７２などから構成されている。
中間ローラー７１、搬送ローラー７２は、下方の供給装置１００から供給されるシートを支持して支持台５０へ搬送する。中間ローラー７１、搬送ローラー７２は、幅方向に沿って延在するローラー軸を有している。当該ローラー軸には、駆動モーター（図示せず）が連結され、中間ローラー７１、搬送ローラー７２を回転駆動可能としている。中間ローラー７１及び搬送ローラー７２には、それぞれに対となる従動ローラー（図示せず）が設けられており、シートの表裏を各ローラー対で挟持して搬送する。
【００１４】
排紙支持台８０は、支持台５０の下流側に配置される。当該排紙支持台８０は、支持台５０を通過したシートを支持するとともに、記録装置２００の前面に形成された排紙口８１へシートを案内する。切断部９０は、記録装置２００内に設けられた制御部（図示せず）の制御により、シートを任意の長さで切断する。切断部９０によって切断されたシートは排紙口８１から排出される。
なお、上記では、記録部１５０をインクジェット式であるものとして説明したが、他の印刷方式であっても良い。例えば、感光ドラムを備えた電子写真式の記録部１５０としても良い。
【００１５】
＊＊＊供給装置の概要＊＊＊
図２に示すように、本願に係る供給装置１００は、上段保持部１０と下段保持部４０とによる、上下２段構成となっており、下段保持部４０は引出し式となっている。
供給装置１００は、上段保持部１０、下段保持部４０、上下それぞれ独立して記録部１５０にシートを供給可能な給紙部１１などを備えている。
なお、本実施形態では、上下２段の保持部を備えた供給装置１００を説明するが、下段保持部４０の１段のみの構成であってもよい。
【００１６】
図１に戻る。
上段保持部１０は、供給装置１００の上段に位置している。上段保持部１０におけるロール媒体１のセットは、ユーザーが斜め上方から直接ロール媒体１を投入する。
【００１７】
下段保持部４０は、引出し式となっており、ロール媒体１のセット時には、図示しない下段保持部４０下方の取手部を把持して手前に引くことで引き出せる。
【００１８】
図３は、図２における供給装置の拡大図であり、下段保持部を引出した態様も図示している。
図３の引出し態様図に示すように、下段保持部４０は、ベース部７、一対の軸受け部８、レール（図示せず）などから構成される。下段保持部４０は、ロール媒体１の軸２を支持してロール媒体１を保持する部位である。なお、下段保持部４０の引出し方向、及び、収納方向を第１方向ともいう。換言すれば、第１方向は、供給装置１００の前面から水平な方向である。
ベース部７は、下段保持部４０の底面を形成する矩形の板状部材である。
【００１９】
軸受け部８は、ベース部７の左右端部からそれぞれ立設する左右対称の板状部材である。一対の軸受け部８は、上面部の中央付近に切欠部９が設けられている。当該切欠部９は、ロール媒体１の軸２を支持することでロール媒体１を保持する。ベース部７の幅方向の端面には、Ｚ軸方向に延在するレール（図示せず）が設けられており、供給装置１００本体の対応する位置に設けられたレール受け部（図示せず）と摺動する。これにより、下段保持部４０は、引出し及び収納が可能となる。そして、下段保持部４０の収納状態にあるときに、ロール媒体１の軸２は、供給装置１００本体に設けられた駆動機構（図示せず）に連結されてロール媒体１を正回転及び逆回転に駆動可能となる。
【００２０】
給紙部１１は、下経路部材１２、上経路部材１３、分離フラッパー１４、カム部材１８、ガイド部材３０などから構成される。
【００２１】
図３に示すように、下経路部材１２は、ロール媒体１から引き出されたシートを裏面から支持する支持部材である。下経路部材１２は、搬送部７０（図２）にシートを送る給紙経路１７を形成する部材であり、その上面は、奥行方向に向かって斜め上方に傾斜している。また、下経路部材１２の板状部材の内部には、ガイド部材３０を駆動するカム部材１８などが設けられる。そして、下経路部材１２の上面の中央付近にはガイド部材３０の支点と係合する第１回動軸２０の受け部が設けられている。
【００２２】
上経路部材１３は、下経路部材１２と対となって、給紙経路１７を形成する部材であり、その下面が、下経路部材１２の上面に沿って、奥行方向に向かって斜め上方に傾斜している。ロール媒体１から引き出されたシートは、給紙経路１７を通過して、上方に位置する搬送部７０（図２）に受け渡される。また、上経路部材１３におけるロール媒体１側の端部には、第３回動軸１５の受け部が設けられ、分離フラッパー１４が係合される。
【００２３】
分離フラッパー１４は、図示しないねじりばねによってロール媒体１を軽く押圧する碇状の部材である。第３回動軸１５を支点に、分離フラッパー１４が回動可能である。また、分離フラッパー１４のロール媒体１に近い端部には、コロ１６が設けられる。分離フラッパー１４は、ロール媒体１の頭出し動作に用いられる。ロール媒体１の頭出し動作については、後述する。
【００２４】
＊＊＊ガイド部材＊＊＊
図４は、ガイド部材の概要を示す側面図である。
ガイド部材３０は、アーム部３１、揺動部３２などから構成されたロール媒体１の案内部材である。
【００２５】
図４に示すように、アーム部３１は、第１回動軸２０を支点にシーソー状に上下揺動する棒状の部材である。当該アーム部３１に設けられる第１回動軸２０は、下経路部材１２の上部に設けられた第１回動軸２０の受け部と係合している。
ロール媒体１をセットする前の初期状態において、アーム部３１は、第１回動軸２０を支点として、第１方向に沿って上流側に長く、下流側に短く延在している。アーム部３１の上流側には、ロール媒体１を支え易くするために、下側に僅かに屈曲した屈曲部が設けられている。アーム部３１の下流側の端部を一端、上流側の端部を他端とする。なお、他端のことを先端ともいう。
【００２６】
アーム部３１の下流側の一端には、コイルばね１９が接続されている。コイルばね１９は、下経路部材１２の内部に設けたカム部材１８と連結しており、カム部材１８の回転に応じて、アーム部３１の先端の位置を上下移動可能な構成となっている。換言すれば、ガイド部材３０は、下段保持部４０に保持されたロール媒体１に対して、下方から軸２の方向に向けて押圧され当接される。そして、ガイド部材３０は、ロール媒体１の外径の変化に応じて変位するように設けられている。
【００２７】
図５は、揺動部の拡大斜視図である。
アーム部３１の先端には、揺動部３２が設けられる。揺動部３２は、ロール媒体１のさそい部材であり、その先端は、アーム部３１の先端から突出して設けられる。
揺動部３２は、第１ローラー３３、２つの第２ローラー３４，３５、ねじりばね３７などから構成される。
【００２８】
揺動部３２は、下流側の第１辺３８と、第１辺３８から上流側の下方に伸びる第２辺３９を有する切り妻屋根状の部材である。第１辺３８は略水平方向に延在しており、第２辺３９は、水平方向に対して約３０度の角度を持って上流側の下方に延在している。
揺動部３２の第１辺３８の上流側の端部には第２ローラー３４が設けられており、下流側の端部には第２ローラー３５が設けられている。換言すれば、第１辺３８の両端には、それぞれ第２ローラー３４，３５が設けられている。揺動部３２の第１辺３８の中央には、幅方向に延在する第２回動軸３６が設けられている。換言すれば、２つの第２ローラー３４，３５の間に、第２回動軸３６が配置されている。そして、第２回動軸３６は、アーム部３１の先端側に設けた第２回動軸３６の受け部と係合して、揺動部３２は、第２回動軸３６を支点に回動可能に設けられている。なお、第２ローラーは、１つの構成であっても良い。
揺動部３２の第２辺３９の上流側の端部には、第１ローラー３３が設けられている。
【００２９】
好適例において、アーム部３１、及び、揺動部３２の本体は樹脂で構成される。例えば、ＡＢＳ樹脂や、ポリカーボネート樹脂を用いる。なお、金属を用いても良い。また、好適例において、第１ローラー３３は、樹脂製のローラーを用いる。例えば、ポリアセタール樹脂のローラーを用いる。なお、摺動性が高く、紙に傷を付けにくい材料であれば良く、例えば、ゴムや、エラストマーを用いても良い。第２ローラー３４，３５も同様である。なお、詳しくは後述するが、アーム部３１を樹脂製としているのは、シート幅に沿ってアーム部（ガイド部材）が複数設けられる構成となっているため、負荷分散が図られるためである。
好適例において、第１ローラー３３の直径は約１５ｍｍで、長さは約５ｃｍとしている。第２ローラー３４，３５も同様である。
【００３０】
図６は、揺動部を下方から見た斜視図である。
揺動部３２の背面には、第２回動軸３６に対して、第１ローラー３３が配置された側を下方に押圧する付勢部としてのねじりばね３７を備えている。ねじりばね３７は、第２回動軸３６の両端の部分にねじりばね３７の中心が挿入される。そして、ねじりばね３７の両端は、アーム部３１の内側に設けられたＬ字状の係止リブに固定される。
【００３１】
図４に戻る。
このような揺動部３２は、第２回動軸３６を支点として、アーム部３１の他端側と係合してシーソーのように揺動する。下段保持部４０の収納過程において、ロール媒体１には最初に第１ローラー３３が接触する。ロール媒体１の第１ローラー３３への接触に伴い、揺動部３２が第２回動軸３６を支点として、第１ローラー３３をより下方に押下げる方向に動く。この際、ねじりばね３７の抗力は、ロール媒体１を押し上げる方向に作用する。
【００３２】
そして、揺動部３２の動きだけでは吸収できない押下げ力が加わると、ガイド部材３０全体が下方に動く。詳しくは、ガイド部材３０は、揺動部３２がロール媒体１に当接して、コイルばね１９によって下方から上方に押圧される力に抗して、第１回動軸２０を支点に先端側が下方に回動することで、下段保持部４０の移動経路から下方に退避する。換言すれば、ガイド部材３０は、ロール媒体１への接触に伴い、揺動部３２とアーム部３１との揺動により、ロール媒体１が揺動部３２の第１辺３８上に収まるように動く。そして、下段保持部４０の収納状態において、２つの第２ローラー３４，３５は、ロール媒体１の外周に接触する。換言すれば、収納状態において、ロール媒体１は２つの第２ローラー３４，３５の上にセットされる。なお、少なくとも１つの第２ローラーがロール媒体１の外周に接触すれば良い。
【００３３】
図７は、図４の揺動部近傍の拡大図である。
図７は、アーム部３１の屈曲部よりも下流側の延在部を略水平とした状態における揺動部３２の態様図である。
図７に示すように、揺動部３２の第１ローラー３３の回転軸と、第２ローラー３４の回転軸との中心を結んだ直線は、Ｚ軸方向に対して角度αで交差する。好適例では、角度αを約３０度としている。そして、アーム部３１の屈曲部よりも下流側の延在部と、Ｚ軸方向との角度βは略１度である。
図４と比べて、図７では、揺動部３２全体が上方に持ち上がった状態となっているが、第１ローラー３３は、第２ローラー３４，３５より下方に位置している。換言すれば、第１ローラー３３は、ロール媒体１に接触しない場合において、第２ローラー３４，３５より下方に配置される。
【００３４】
図８は、下段保持部を引出した態様で、前面から供給装置内部の給紙部近傍を観察した斜視図である。
図８に示すように、給紙部１１には、複数のガイド部材が設けられている。なお、各ガイド部材を区分けするために、ガイド部材３０Ａ，３０Ｂ，３０Ｃという附番としている。複数のガイド部材が設けられているのは、様々なサイズのロール媒体１を収納するためである。供給装置１００では、シート幅が１０インチから４４インチまで、直径が約１０．３ｃｍから１７ｃｍまでのロール媒体１を収納可能な仕様となっている。なお、このサイズに限定するものではなく、設計仕様に応じて、上記寸法の範囲外のロール媒体１を使用しても良い。
【００３５】
図８に示すように、ガイド部材３０Ａは、ロール媒体１の右端面に取り付けられるフランジ（図示せず）の位置を基準（基準位置）に約１４インチの位置に設置されている。そして、ガイド部材３０Ｂは約２０インチの位置に、ガイド部材３０Ｃは約３１インチの位置に設置される。このように、複数のガイド部材は、基準位置に近い側が密に、基準位置から離れるにつれて疎となるように設けられている。なお、図示は省略しているが、ガイド部材３０Ｃの左側及びガイド部材３０Ａの右側にもガイド部材が設けられており、シート幅が異なるロール媒体１においても、少なくとも両端を支持可能な構成となっている。
このような構成により、シート幅が１０インチから４４インチまでのロール媒体１を収納可能に設けられている。
【００３６】
図９は、ロール媒体を収納する際のガイド部材の動作態様図であり、図３に対応している。図９は、図３の状態から、下段保持部４０を供給装置１００内部に収納する収納過程を示している。
ガイド部材３０は、引き出された下段保持部４０が、供給装置１００本体に収納される際に、ロール媒体１に当接して、下方から上方に押圧される力に抗して下段保持部４０の移動経路から矢印Ｆで示すように、下方に退避させられる。この際、最初に、第１ローラー３３がロール媒体１の軸２の高さよりも下方の位置でロール媒体１に接触し、ガイド部材３０は、第１方向の下流側にある第１回動軸２０を支点に回動して退避する。
そして、下段保持部４０の収納状態において、ロール媒体１は２つの第２ローラー３４，３５の上に回動可能にセットされる。
【００３７】
なお、上記では、下段保持部４０を引出し式とした構成について説明したが、上段保持部１０も、引出し式の構成としても良い。換言すれば、鉛直方向に複数配置された保持部において、全ての保持部を引出し式としても良いし、少なくとも最上段より下方の保持部を引出し可能とすることであっても良い。
【００３８】
以上述べた通り、本実施形態のロール媒体１の供給装置１００、および当該供給装置１００を備えた記録装置２００によれば、以下の効果を得ることができる。
ロール媒体１の供給装置１００は、ロール媒体１の軸２を支持して、ロール媒体１を保持する下段保持部４０と、下段保持部４０に保持されたロール媒体１に対して、下方から軸２の方向に向けて押圧されて当接し、ロール媒体１の外径の変化に応じて変位するガイド部材３０と、を有する。そして、下段保持部４０は、供給装置１００本体から第１方向に引出し可能であり、ガイド部材３０は引き出された下段保持部４０が、供給装置本体に収納される際に、ロール媒体１に当接して、下方から上方に押圧される力に抗して下段保持部４０の移動経路から下方に退避させられる。
【００３９】
この供給装置１００によれば、ロール媒体１をセットした下段保持部４０の収納の際に、ガイド部材３０が下段保持部４０の移動経路から下方に退避されるため、ロール媒体１がガイド部材３０にぶつかることによるロール媒体１の傷の発生を抑制することができる。
【００４０】
ロール媒体１の供給装置１００は、第１方向における、引出し方向を上流とし、収納方向を下流としたとき、ガイド部材３０は、第１方向の下流側にある第１回動軸２０を支点に回動して退避する。
この供給装置１００によれば、ガイド部材３０は、第１回動軸２０を支点に回動することで、退避されるため、ロール媒体１がガイド部材３０にぶつかることによるロール媒体１の傷の発生を抑制することができる。
【００４１】
ガイド部材３０は、アーム部３１と、揺動部３２とを含んで構成され、アーム部３１は、その一端が第１回動軸２０の下流側に位置し、揺動部３２は、アーム部３１の他端側に設けられている。
この構成によれば、ガイド部材３０は、アーム部３１と、揺動部３２とを含んで構成されるため、ロール媒体１への当接時における衝撃を緩和できる。
【００４２】
揺動部３２は、下段保持部４０の収納過程において、ロール媒体１に接触する第１ローラー３３と、収納された下段保持部４０におけるロール媒体１に接触する少なくとも１つの第２ローラーと、を有する。
この構成によれば、下段保持部４０の収納過程において、ロール媒体１に対して第１ローラー３３が最初に接触するため、第１ローラー３３が回転することで、接触時におけるロール媒体１への衝撃を緩和できる。さらに、第１ローラー３３が樹脂で構成されているため、接触時におけるロール媒体１の傷の発生をより抑制することができる。
【００４３】
揺動部３２において、第１ローラー３３は、第２ローラー３４，３５よりも上流側に配置され、下段保持部４０の収納過程において、ロール媒体１の軸２の高さよりも、下方の位置でロール媒体１に接触する。
この構成によれば、下段保持部４０の収納過程において、第１ローラー３３が、ロール媒体１の中心より下側に接触するため、第１ローラー３３の回転により、ガイド部材３０の下方への退避がスムーズになる。
【００４４】
アーム部３１の他端側にある揺動部３２には、第２回動軸３６が設けられ、揺動部３２は、第２回動軸３６を支点に回動可能に設けられる。
この構成によれば、第２回動軸３６を支点として揺動部３２を回動可能としたことにより、ガイド部材３０の下方への退避がよりスムーズになる。
【００４５】
第２ローラー３４，３５は、２つ設けられ、第２回動軸３６は、２つの第２ローラー３４，３５の間に配置されており、下段保持部４０の収納状態において、２つの第２ローラー３４，３５は、ロール媒体１の外周に接触される。
この構成によれば、下段保持部４０の収納状態において、ロール媒体１を２つの第２ローラー３４，３５により、回動可能に支持することができる。
【００４６】
揺動部３２は、第２回動軸３６に対して、第１ローラー３３が配置された側を下方に押圧する付勢部としてのねじりばね３７を備えている。
この構成によれば、第１ローラー３３がロール媒体１に接触した際に、ねじりばね３７によりロール媒体１を押し上げる方向の力が生じるため、ガイド部材３０の下方への退避がスムーズになる。
【００４７】
第１ローラー３３は、ロール媒体１に接触しない場合、第２ローラー３４，３５より下方に配置される。
この構成によれば、ロール媒体１との接触時において、第１ローラー３３をロール媒体１の中心より下側に接触させることができる。
【００４８】
ロール媒体１の軸２は、下段保持部４０が収納状態にあるときに駆動機構に連結されて駆動可能となる。
この構成によれば、下段保持部４０の収納状態において、当該駆動機構により、ロール媒体１から引き出されたシートを給紙することができる。
【００４９】
ロール媒体１の供給装置１００の保持部は、鉛直方向に複数配置され、少なくとも最上段より下方の下段保持部４０を引出し可能とした。
この供給装置１００によれば、下段保持部４０へのロール媒体１のセットが容易になる。
【００５０】
記録装置２００によれば、ロール媒体１の軸２を支持して、ロール媒体１を保持する下段保持部４０と、下段保持部４０に保持されたロール媒体１に対して、下方から軸２の方向に向けて押圧されて当接し、ロール媒体１の外径の変化に応じて変位するガイド部材３０と、ロール媒体１から引き出されたシートが通過する給紙経路１７と、を有する供給装置１００を備え、ロール媒体１から引き出されたシートに記録を行う記録部１５０を含み、下段保持部４０は、供給装置１００本体から引出し可能であり、ガイド部材３０は引き出された下段保持部４０が供給装置１００本体に収納される際に、ロール媒体１の外周に当接して、下方から上方に押圧される力に抗して下段保持部４０の移動経路から下方に退避させられる。
【００５１】
記録装置２００によれば、ロール媒体１をセットした下段保持部４０の収納の際に、ガイド部材３０が下段保持部４０の移動経路から下方に退避されるため、ロール媒体１がガイド部材３０にぶつかることによるロール媒体１の傷の発生を抑制することができる。
【００５２】
実施形態２
＊＊＊ロール媒体の頭出し動作＊＊＊
図１０〜図１２は、ロール媒体の頭出し動作を示している。
図１０〜図１２に示す本実施形態の供給装置１１０は、ガイド部材３０のアーム部３１にシートの有無を検知する光反射型のセンサーＳを備えた点が実施形態１と異なる。センサーＳは、ガイド部材３０のアーム部３１の下方からロール媒体１のシートが通過する給紙経路１７内の仮想線と交わる方向に向けて光を発している。そして、センサーＳは、光の反射の有無によりシートの有無を検知している。以下、実施形態１と同一の構成については、同一の附番を付して、実施形態１と重複する説明は省略する。
図１０は、下段保持部にセットされたロール媒体の頭出し第１動作を説明する側断面図である。
図１０に示すように、ロール媒体１の頭出し第１動作において、分離フラッパー１４は、ねじりばね（図示せず）の付勢力により、矢印Ａ方向に回動してロール媒体１の外周にコロ１６が当接する状態に維持される。
【００５３】
次に、駆動機構（図示せず）に連結されたロール媒体１は、矢印Ｂ方向に逆回転される。
ロール媒体１を逆回転させることで、ロール媒体１のシート先端がガイド部材３０のアーム部３１に備えたセンサーＳで検知される。センサーＳによりシート先端を検知したら、駆動機構（図示せず）を停止してロール媒体１の逆回転が停止される。
【００５４】
図１１は、ロール媒体の頭出し第２動作を説明する側断面図である。
図１１に示すように、ロール媒体１の頭出し第１動作と同様に分離フラッパー１４のねじりばね（図示せず）の付勢力でロール媒体１にコロ１６が当接する状態が維持されている。そして、駆動機構（図示せず）に連結されたロール媒体１は、矢印Ｄ方向に正回転される。ロール媒体１の回転に伴い、ロール媒体１の外周と当接したコロ１６は従動回転する。
【００５５】
図１２は、ロール媒体の頭出し第３動作を説明する側断面図である。
図１２に示すように、ロール媒体１は、駆動モーター（図示せず）により矢印Ｄ方向へ正回転される。その際、ロール媒体１のシート先端がロールの巻き癖や静電気等により、ロール媒体１に張り付き気味である場合、分離フラッパー１４のコロ１６によりシート先端がロール媒体１から分離される。ロール媒体１から分離されたシート先端は、シートの自重により給紙経路１７を通過して、供給装置１１０の上方に配置される搬送部７０（図２）に受け渡される。
なお、本願に係る供給装置１１０では、引出し式の下段保持部４０を例に頭出し動作を説明したが、実施形態１で説明した供給装置１００の上段保持部１０においても同様にロール媒体１の頭出し動作が適用できる。すなわち、ユーザーが斜め上方から直接ロール媒体１を上段保持部１０に投入する方式においても適用可能である。
なお、実施形態２におけるセンサーＳは、光反射型のセンサーを例に説明したが、光透過型センサーなどを用いてもよく、シートを検知できれば、他の検知方式で代用可能である。
【００５６】
以上述べた通り、本実施形態の供給装置１１０によれば、以下の効果を得ることができる。
供給装置１１０は、ガイド部材３０のアーム部３１にシートの有無を検知する光反射型のセンサーＳを備える。センサーＳは、ロール媒体１のシートが通過する給紙経路１７内の仮想線と交わる方向に向けて光を発している。そして、センサーＳは、光の反射の有無によりシートの有無を検知している。
この構成を用いて、ロール媒体１の頭出し動作をすれば、ロール媒体１のシート先端を気にすることなく、ロール媒体１のセットは容易になる。
【符号の説明】
【００５７】
１…ロール媒体、２…軸、１０…上段保持部、１７…給紙経路、２０…第１回動軸、３０…ガイド部材、３１…アーム部、３２…揺動部、３３…第１ローラー、３４，３５…第２ローラー、３６…第２回動軸、３７…ねじりばね、４０…下段保持部、１００，１１０…供給装置、１５０…記録部、２００…記録装置。
【要約】
【課題】ガイド部材の揺動部によるロール媒体の傷を抑制する供給装置を提供すること。
【解決手段】ロール媒体１の供給装置１００は、ロール媒体１の軸２を支持して、ロール媒体１を保持する引出し式の下段保持部４０を備え、下段保持部４０に保持されたロール媒体１に対して、下方から軸２の方向に向けて押圧されて当接し、ロール媒体１の外径の変化に応じて変位するガイド部材３０と、を有する。そして、下段保持部４０は、供給装置１００の本体から第１方向に引出し可能であり、ガイド部材３０は引き出された下段保持部４０が、供給装置１００の本体に収納される際に、ロール媒体１に当接して、下方から上方に押圧される力に抗して下段保持部４０の移動経路から下方に退避させられる。
【選択図】図９【図１】
0006958690.tif 000002
【図２】
0006958690.tif 000003
【図３】
0006958690.tif 000004
【図４】
0006958690.tif 000005
【図５】
0006958690.tif 000006
【図６】
0006958690.tif 000007
【図７】
0006958690.tif 000008
【図８】
0006958690.tif 000009
【図９】
0006958690.tif 000010
【図１０】
0006958690.tif 000011
【図１１】
0006958690.tif 000012
【図１２】
0006958690.tif 000013